(57)【要約】【課題】金庫等の扉と本体に架け渡されるコードに弛みが生ずることを無くし、扉と本体との間にコードが挟まれることを完全に防止できる。【解決手段】金庫等の本体５に対して開閉する扉１に固着され、扉１から本体５へ導かれるコード３０の弛み防止構造であって、本体５内部の前端近傍に設けられる回転軸１０ｅに回転板１２の前端近傍が軸支され、コード３０が、本体５への正面パネル１０ａのコード導入箇所から回転板１２の軸支箇所と離れた回転板１２の後端近傍のコード導入箇所を経て回転板１２の軸支箇所近傍へ導かれると共に回転板１２に固定され、回転板１２のコード導入箇所を本体５のコード導入箇所から離間する方向へトーションバネ１１で回転板１２が回動付勢される。【選択図】図３
2006161427.tif 000002
【特許請求の範囲】
【請求項１】
本体に対して開閉する扉に固着され、扉から本体へ導かれるコードの弛み防止構造であって、本体内部の前端近傍に設けられる回転軸に回転板の前端近傍が軸支され、コードが、本体へのコード導入箇所から回転板の軸支箇所と離れた回転板のコード導入箇所を経て回転板の軸支箇所近傍へ導かれると共に回転板に固定され、回転板のコード導入箇所を本体のコード導入箇所から離間する方向へバネ部材で回転板が回動付勢されることを特徴とするコードの弛み防止構造。
【請求項２】
閉扉状態における回転板の位置に対応して回転板の回動付勢を制止するストッパーが設けられることを特徴とする請求項１記載のコードの弛み防止構造。
【請求項３】
前記バネ部材を、回転軸に嵌められ、一端が本体に設けられる正面パネルに当接し、他端が回転板に固着されるトーションバネとすることを特徴とする請求項１又は２記載のコードの弛み防止構造。
【発明の詳細な説明】
【技術分野】
【０００１】
本発明は、例えば金庫等の扉と本体との間に架け渡して設けられるコードの弛み防止構造に関する。
【背景技術】
【０００２】
従来、金庫に設置される指紋照合錠のコードや、金庫の施解錠の検出情報をセキュリティシステムに伝送するためのコード等を、金庫の扉と本体との間に架け渡して設け、且つそのコードの弛みを抑制している金庫が知られている。その例を図１及び図７に示す。
【０００３】
図１及び図７の金庫は指紋照合式金庫であり、扉１の表面１ａに指紋を読み取る指紋認識部２ａが設けられ、指紋認識部２ａや図に省略した扉１の電気錠に接続された配線が扉１内でヒンジ４側の上隅に導かれ、これらの配線がコード３に収納されてヒンジ４側の裏面上隅１ｂから外側へ導出される。コード３は、本体５の上部の正面パネル６内に導かれ、その配線は正面パネル６内に設けられた指紋照合装置（図示せず）に接続されていおり、更に、前記裏面上隅１ｂからの導出箇所と前記正面パネル６内への導入箇所で扉１と本体５にそれぞれ固着されている。また、前記指紋照合装置は、指紋認識部２ａから伝送される指紋を取得し、指紋照合部で登録されている指紋とパターンを照合し、照合の結果、パターンが一致した場合には施解錠制御部で前記電気錠に解錠信号を送信する（図３参照）。７はハンドル、８はシリンダー錠、９は内扉である。
【０００４】
そして、上記従来例のコード３にはカール部３ａが設けられており、カール部３ａの伸縮によって、扉１の開閉に伴うコード３の伸縮性を確保し、コード３の弛みを抑制すると共に、コード３がヒンジ４側で扉１と本体５との間に挟まれることをある程度防止している。
【０００５】
尚、金庫のコードの弛み防止に関する公知技術に特許文献１のスライドダクト装置がある。前記スライドダクト装置は、レール上に固定庫と移動庫が対面して配設される対面移動金庫で、固定庫及び移動庫の内壁上側にブラケットとダクトガイドをそれぞれ設け、ダクトガイドにダクトを連架し、ダクトガイドとダクト内にコードを挿通したものである。
【０００６】
【特許文献１】実開昭５９−１６７４１９号公報
【発明の開示】
【発明が解決しようとする課題】
【０００７】
ところで、上記カール部を有するコードは、弛みを抑制して金庫等の扉と本体との間にコードが挟まれることをある程度防止することは可能であるものの、扉を閉める際に必然的に弛みが生ずるため、未だ扉と本体との間にコードが挟まれ、コードが損傷する事態が生ずる。そのため、扉を閉める際に、扉と本体との間に架け渡されるコードに弛みが生ずることを無くし、扉と本体との間にコードが挟まれることを完全に防止することができる構成が求められている。
【０００８】
本発明は上記課題に鑑み提案するものであって、金庫等の扉を閉める際に、扉と本体との間に架け渡されるコードに弛みが生ずることを無くし、扉と本体との間にコードが挟まれることを完全に防止することができるコードの弛み防止構造を提供することを目的とする。
【課題を解決するための手段】
【０００９】
本発明のコードの弛み防止構造は、本体に対して開閉する扉に固着され、扉から本体へ導かれるコードの弛み防止構造であって、本体内部の前端近傍に設けられる回転軸に回転板の前端近傍が軸支され、コードが、本体へのコード導入箇所から回転板の軸支箇所と離れた回転板のコード導入箇所を経て回転板の軸支箇所近傍へ導かれると共に回転板に固定され、回転板のコード導入箇所を本体のコード導入箇所から離間する方向へバネ部材で回転板が回動付勢されることを特徴とする。前記本体へのコード導入箇所は例えば正面パネルの挿通孔等であり、回転板へのコード導入箇所は例えば回転板の後端近傍の側板の挿通孔等である。
【００１０】
更に、本発明のコードの弛み防止構造は、閉扉状態における回転板の位置に対応して回転板の回動付勢を制止するストッパーが設けられることを特徴とする。
【００１１】
更に、本発明のコードの弛み防止構造は、前記バネ部材を、回転軸に嵌められ、一端が本体に設けられる正面パネルに当接し、他端が回転板に固着されるトーションバネとすることを特徴とする。
【００１２】
尚、本発明のコードの弛み防止構造は、例えば比較的重い扉を有する金庫や書庫等に用いると好適であるが、金庫や書庫以外に用いることも可能である。また、バネ部材は前記トーションバネ以外にも、例えば基板上等の所定箇所に設けるコイルばね等とすることも可能である。また、本発明に於けるコードの種類は適宜であり、例えば金庫に設置される指紋照合錠のコードや、金庫の施解錠の検出情報をセキュリティシステムに伝送するためのコードであり、これら以外のコードも含まれる。
【発明の効果】
【００１３】
本発明のコードの弛み防止構造は、金庫等の扉を閉める際に、扉と本体との間に架け渡されるコードに弛みが生ずることが無く、コードが張られた状態のまま扉と本体との間の長さが伸縮するので、扉と本体との間にコードが挟まれることを完全に防止することができる。
【００１４】
また、閉扉状態の回転板の位置に対応してストッパーを設けることにより、コードへの引張応力の負荷を開扉状態の場合だけに限定し、不使用時の閉扉状態にはコードに引張応力が負荷されないようにすることができる。従って、引張応力の持続的な負荷でコードが損傷することを防ぐことができる。
【００１５】
また、バネ部材を回転軸に嵌めるトーションバネとすることにより、回転軸をトーションバネの設置箇所として利用することができ、部品点数の削減や、トーションバネと回転板が重なる配置で省スペースでのバネ部材の設置が可能となる。
【発明を実施するための最良の形態】
【００１６】
本発明に関し、実施形態のコード弛み防止構造及び前記構造を有する金庫について説明する。
【００１７】
本実施形態に於ける金庫は、指紋照合式金庫であり、コードの弛み防止構造以外の構成は従来の指紋照合式金庫と略同一である。即ち、図１〜図３に示すように、扉１の表面１ａに指紋を読み取る指紋認識部２ａが設けられ、指紋認識部２ａや図に省略した扉１の電気錠に接続された配線が扉１内でヒンジ４側の上隅に導かれ、これらの配線がコード３０に収納されてヒンジ４側の裏面上隅１ｂから外側へ導出される。コード３０はカール部を有しない線状であり、前記導出箇所等で扉１に固着されている。更に、コード３０は、箱形である本体５の上部の正面パネル１０ａ内に挿通孔１０ｂに移動自在に挿通されて導かれ、コード３０の配線は正面パネル１０ａ内に設けられた指紋照合装置２に接続される。前記指紋照合装置は、指紋認識部２ａから伝送される指紋を取得し、指紋照合部で登録されている指紋とパターンを照合し、照合の結果、パターンが一致した場合には施解錠制御部で扉１の電気錠に解錠信号を送信する構成である。７はハンドル、８はシリンダー錠、９は内扉である。
【００１８】
正面パネル１０ａは、図３及び図４に示すように、方形の基板１０の前端を上方へ略直角に屈曲して形成したものである。正面パネル１０ａの上端には屈曲片１０ｃが前方へ略直角に屈曲して形成され、屈曲片１０ｃが本体５の天井面にネジ止め等で固定されると共に、基板１０の後端には上方へ略直角に屈曲した屈曲片１０ｄが上方へ略直角に屈曲して形成され、屈曲片１０ｄが本体５の内奥面にネジ止め等で固定される。屈曲片１０ｃ、１０ｄの固定により、基板１０は本体５内の上部に固定して配設される。
【００１９】
基板１０の上面の略中央前端には、下段の大径部１０ｅ１と上段の小径部１０ｅ２とで構成される回転軸１０ｅが上方へ突出して設けられており、大径部１０ｅ１の外周にはトーションバネ１１の円形部１１ａが嵌められている。更に、回転軸１０ｅの小径部１０ｅ２の外周には、略細長板状である回転板１２の底板１２ａの略前端に形成された挿通孔１２ｂが嵌められ（図３、図５参照）、回転板１２がトーションバネ１１の上方に配置される。回転板１２は、底板１２ａの両側に上方へ屈曲する左側板１２ｃと右側板１２ｄを有する横断面視略凹形状であり、また、その後端近傍には回転板１２の略後部を支持し、回転板１２の回転時に基板１０上を摺動する摺動支持部１２ｅが設けられている。
【００２０】
また、図３及び図４に示すように、小径部１０ｅ２の回転板１２より高い所定高さには水平方向へ挿通孔１０ｅ３が形成されており、挿通孔１０ｅ３にスナップピン１３の直線部が挿通され、小径部１０ｅ２がスナップピン１３の略同径の曲部で保持されている。スナップピン１３を取り付けることにより、回転軸１０ｅに嵌められた回転板１２及びトーションバネ１１が回転軸１０ｅから抜けることを防止している。
【００２１】
トーションバネ１１の一端は正面パネル１０ａの内面に当接し、その他端は左側板１２ｃの略前端近傍に対応する位置で回転板１２の下面に固定されている。回転板１２は、トーションバネ１１の付勢力により、回転軸１０ｅを中心にして反時計回りに付勢されており、基板１０に設けられたゴム等のストッパー１０ｆ１に当接し、長手方向を前後にして配置されている。回転板１２の回動付勢を制止するストッパー１０ｆ１は、閉扉状態における回転板１２の位置に対応して設けられている。尚、基板３の前端近傍に設けられたストッパー１０ｆ２は、扉１が開かれた状態における回転板１２の右側板１２ｄが当接するようになっており、前記当接状態は最大限に扉１が開かれた状態に対応する。
【００２２】
また、正面パネル１０ａの右端近傍に位置する挿通孔１０ｂから正面パネル１０ａ内に導かれたコード３０は、回転板１２の右側板１２ｄの後端近傍の挿通孔１２ｄ１に導かれ、挿通孔１２ｄ１に挿通されたコード３０は、右側板１２ｄに略沿うように前方へ導かれ、複数の固定具１４で右側板１２ｄや底板１２ａに所定位置で固定される。更に、コード３０は、回転板１２の略前端から、正面パネル１０ａや基板１０の左辺に略沿うように左方向、続いて後方へ導かれて、複数の固定具１４で基板１０の上面に固定され、最終的に指紋照合装置２に接続される。
【００２３】
前記正面パネル１０ａの挿通孔１０ｂと回転板の挿通孔１２ｄ１間に張設されるコード３０の長さは、本体５の挿通孔１０ｂと扉１のコード導出箇所との間に架け渡されるコード３の開扉時の長さと閉扉時の長さの差に対応している。尚、扉１を開く際の扉１の回転可能な範囲を規制する部材が特にない場合には、前記張設されるコード３０の長さにより扉１の回転可能な範囲が規制される。
【００２４】
そして、上記金庫の扉１を開く場合、図３及び図６に示すように、扉１に固定されているコード３０は引っ張られ、正面パネル１０内に収容されているコード３０の一部が挿通孔１０ｂから外方へ引き出される。コード３０が引き出される際には、回転板１２の挿通孔１２ｂの箇所にコード３０によって右斜め前方への引張力がかかり、回転板１２は回転軸１０ｅを中心にトーションバネ１１による回転板１２の回動付勢に抗して平面視時計周りに回動する。扉１を所定角度まで回転して開くと、回転板１２の前記所定角度に対応する時計回りの回動も停止する。
【００２５】
前記開扉動作中、及び所定角度まで扉１を開いた状態では、トーションバネ１１で回転板１２が反時計回りに回動付勢されていることにより、回転板１２に固定されたコード３０は弛み無く張設された状態を常時維持する。また、回転板１２のトーションバネ１１はコード３０を引っ張って弛みを無くす付勢力は有する一方で、重量が大きい扉１をコード３０を介して閉扉方向へ回動する付勢力は有しないため、扉１の前記所定角度の開扉状態や回転板１２の停止状態は維持される。
【００２６】
所定角度まで開いた扉１を閉める場合には、閉扉動作及び閉扉時を通じて、回転板１２の反時計回りの回動付勢によりコード３０は正面パネル１０ａ内に引き込まれるので、コード３０は弛み無く張設された状態を常時維持する。従って、閉扉時に、扉１と本体５との間に弛んだコード３０を挟んだり、損傷したりすることを防止できる。
【産業上の利用可能性】
【００２７】
本発明のコードの弛み防止構造は、例えば本体に対して扉が開閉し、扉と本体との間にコードが架け渡して設けられる金庫や書庫等に利用することができる。
【図面の簡単な説明】
【００２８】
【図１】指紋照合式金庫の正面図。
【図２】実施形態のコード弛み防止構造を有する指紋照合式金庫の扉を開いた状態を示す正面図。
【図３】（ａ）は実施形態のコード弛み防止構造の部分を示す平面図、（ｂ）は同図（ａ）の側面図。
【図４】（ａ）は基板の平面図、（ｂ）は基板の側面図。
【図５】（ａ）は回転板の平面図、（ｂ）は回転板の側面図。
【図６】扉を開いた状態に於けるコードの弛み防止構造の部分を示す平面図。
【図７】従来の指紋照合式金庫の扉を開いた状態を示す正面図。
【符号の説明】
【００２９】
１  扉
２ａ  指紋認識部
３、３０  コード
４  ヒンジ
５  本体
１０  基板
６、１０ａ  正面パネル
１０ｂ  挿通孔
１０ｅ  回転軸
１０ｆ１、１０ｆ２  ストッパー
１１  トーションバネ
１１ａ  円形部
１２  回転板
１３  スナップピン
【図１】
2006161427.tif 000003
【図２】
2006161427.tif 000004
【図３】
2006161427.tif 000005
【図４】
2006161427.tif 000006
【図５】
2006161427.tif 000007
【図６】
2006161427.tif 000008
【図７】
2006161427.tif 000009